(57)【要約】【課題】雨水が浸入したり溜まるおそれがなく、長期に亘って電線を保護し得る架空電線用カバーを提供する。【解決手段】半裁カバー１ａ，１ｂが開閉可能なるようにヒンジ部２を間にして一体に成形され、該半裁カバーの相対する内面に凹窪部３ａ，３ｂが形成され、該凹窪部に電線の露出充電部が収容され、前記ヒンジ部２が該露出充電部の上方に位置するように該半裁カバー１ａ，１ｂを該露出充電部に被せる架空電線用カバーであって、前記露出充電部の上方に位置する横長フランジ９をヒンジ部２の下側内面に形成し、電線ｄの周囲に密接するシール材１２が収容されるシール材収容部１１ａ，１１ｂを前記凹窪部３ａ，３ｂの両側に形成し、前記横長フランジ９の上面と連なる排水用溝１５ａ，１５ｂを該シール材収容部１１ａ，１１ｂの外側に形成し、電線ｄが導出される電線導出部１７ａ，１７ｂを該排水用溝１５ａ，１５ｂの外側縁に形成した。【選択図】図６
2018137907.tif 000002
【特許請求の範囲】
【請求項１】
電気絶縁性の合成樹脂により一対の半裁カバーが開閉可能なるようにヒンジ部を間にして一体に成形され、該半裁カバーの相対する内面に凹窪部が形成され、該凹窪部に電線の露出充電部が収容され、前記ヒンジ部が該露出充電部の上方に位置するように該半裁カバーを該露出充電部に被せて該半裁カバーを合着させる架空電線用カバーであって、前記露出充電部の上方に位置するように横長フランジを前記ヒンジ部の下側内面に形成し、電線の周囲に密接するシール材が収容されるシール材収容部を前記凹窪部の両側に形成し、前記横長フランジの上面と連なる排水用溝を該シール材収容部の外側に形成し、該電線が導出される電線導出部を前記排水用溝の外側縁に形成したことを特徴とする架空電線用カバー。
【請求項２】
一方の半裁カバーの内面に前記横長フランジを一体に形成するとともに、他方の半裁カバーの内面に該横長フランジが嵌合する横長溝を形成したことを特徴とする請求項１に記載した架空電線用カバー。
【請求項３】
横長フランジの上面と連なる排水用溝は、シール材収容部の外側に電線を迂回するように一部が環状に形成されていることを特徴とする請求項１または２に記載した架空電線用カバー。
【発明の詳細な説明】
【技術分野】
【０００１】
本発明は、架空電線の碍子係留部や電線接続部等に取着される合成樹脂製のカバーに関するものである。
【背景技術】
【０００２】
図１は、電柱の腕木ａに起立状に設けられた碍子ｂの上部に支持金具ｃを固設し、架空電線ｄの絶縁被覆を一部剥ぎ取った裸電線部ｇを該支持金具ｃに設けられた挟着部ｅにより挟着支持することにより、該電線ｄを該碍子ｂに係留した状況を示す。なお、ｆは落雷時の高電圧電流を逃がすために支持金具ｃより斜め下方に突出するように設けられた放電端子（アークホーン）である。
このような電線ｄの碍子係留部には、従来から電気絶縁性が高い合成樹脂製のカバーを被せ、通常の使用状態で電気が通じている支持金具ｃ等を該カバーによって覆うことにより、鳥類が営巣のために運んできた針金等が該支持金具ｃ等に接触し短絡事故が起きるのを防ぐとともに、塩分を含んだ雨水等によって絶縁性が損なわれ、或いは劣化するのが防止されるようにしている。
【０００３】
なお、下記特許文献１および特許文献２には、鉄道のトロリー線を懸垂するための懸垂碍子に被せられる絶縁性のカバーが示されている。また、下記特許文献３には架空電線の分岐接続部に被せられるカバーが示され、下記特許文献４には引留クランプに被せられるカバーが示され、下記特許文献５には電線補修用カバーが示されている。このように架空電線の接続部に合成樹脂製カバーを設けることにより、短絡事故を防ぐとともに、カバー内に雨水が浸入しないようにする防水対策は従来からされていた。
【先行技術文献】
【特許文献】
【０００４】
【特許文献１】特開２００１−１９５９３６
【特許文献２】特開２０１１−２１０４９８
【特許文献３】特開２００２−２５２９１８
【特許文献４】実開平６−２９３３６
【特許文献５】特開２００９−２６１０４６
【発明の概要】
【発明が解決しようとする課題】
【０００５】
ところで、上記特許文献１〜５に示されたような従来の電線カバーは、ブチルゴム等の粘着性のあるシール材を水密に充填することにより、カバー内に雨水が浸入しないよう防水するものであった。しかし、このような粘着性、或いは弾力性のあるシール材は、長年の間に劣化して、その粘着性・柔軟性・弾力性等が損なわれるので、長期にわたって防水性が維持されないという問題がある。また、いったん雨水が浸入すると、その雨水がカバー内に溜まってしまうことがあるので、一層悪影響を及ぼすおそれがあった。
また、従来の電線カバーは、点検のために開くとシール材の粘着性が損なわれ防水性が著しく低下するので、メンテナンスが容易でないという問題がある。
そこで、本発明は、シール材に依存することなく、長期にわたり防水性が維持され、メンテナンスも容易な架空電線用カバーを提供しようとするものである。
【課題を解決するための手段】
【０００６】
そのために本発明は、電気絶縁性の合成樹脂により一対の半裁カバーが開閉可能なるようにヒンジ部を間にして一体に成形され、該半裁カバーの相対する内面に凹窪部が形成され、該凹窪部に電線の露出充電部が収容され、前記ヒンジ部が該露出充電部の上方に位置するように該半裁カバーを該露出充電部に被せて該半裁カバーを合着させる架空電線用カバーであって、前記露出充電部の上方に位置するように横長フランジを前記ヒンジ部の下側内面に形成し、電線の周囲に密接するシール材が収容されるシール材収容部を前記凹窪部の両側に形成し、前記横長フランジの上面と連なる排水用溝を該シール材収容部の外側に形成し、該電線が導出される電線導出部を前記排水用溝の外側縁に形成したことを特徴とする。
【０００７】
また本発明は上記架空電線用カバーにおいて、一方の半裁カバーの内面に前記横長フランジを一体に形成するとともに、他方の半裁カバーの内面に該横長フランジが嵌合する横長溝を形成したことを特徴とする。
また本発明は上記架空電線用カバーにおいて、横長フランジの上面と連なる排水用溝は、シール材収容部の外側に電線を迂回するように一部が環状に形成されていることを特徴とする。
このように本発明に係る架空電線用カバーでは、ヒンジ部や電線導出部から雨水が浸入しても、その雨水は露出充電部に流入することなく、排水用溝を通って外部に排出されるので、防水性が長期に亘って維持される。
【０００８】
なお、高圧配電設備において、通常の使用状態で電気が通じているところは、電技省令第１条（用語の定義）第一号にて、電路と同じ意味で、「充電部」と定義されているので、本発明の説明では、この碍子係留部における支持金具ｃ、挟着部ｅ、裸電線部ｇ等の電気が常に通じている露出部位のことを「露出充電部」ということとする。
【発明の効果】
【０００９】
本発明に係る架空電線用カバーでは、長期にわたり防水性が維持され、カバー内に雨水が溜まるおそれがない。また、メンテナンスも容易で、防水性に対する信頼性が高い架空電線用カバーを提供できる。
【図面の簡単な説明】
【００１０】
【図１】架空電線の碍子係留部を示す斜視図。
【図２】本発明の実施形態を示す架空電線用カバーの展開時の内面の斜視図。
【図３】本発明の実施形態を示す架空電線用カバーの展開時の外面の斜視図。
【図４】図３のＡ−Ａ線断面図。
【図５】本発明の実施形態を示す架空電線用カバーを碍子係留部に取着したときの斜視図。
【図６】本発明の実施形態を示す架空電線用カバーを碍子係留部に取着したときの縦断面図。
【図７】本発明の実施形態を示す架空電線用カバーを碍子係留部に取着したときの横断面図。
【図８】架空電線の接続部に取り付けられる架空電線用カバーの実施形態を示す縦断面図。
【図９】架空電線の分岐接続部に取り付けられる架空電線用カバーの実施形態を示す縦断面図。
【図１０】架空電線を引き留める引留クランプのカバーとしての本発明の実施形態を示す縦断面図。
【発明を実施するための最良の形態】
【００１１】
次に本発明の実施形態を図１に示した碍子係留部に被せられる架空電線用カバーについて説明する。このカバーは、電気絶縁性の高い合成樹脂により一体に成形されるもので、図２〜図４に示すように、一対の半裁カバー１ａ，１ｂが可撓性を有するようにやや肉薄の半円筒状に形成されたヒンジ部２を間にして開閉可能なるように形成され、該ヒンジ部２の両端部２ａ，２ｂは雨水の浸入を防ぐためテーパ状に小径に形成してある。該半裁カバー１ａ，１ｂの相対する内面に凹窪部３ａ，３ｂが形成されている。そして、該ヒンジ部２が上方となるように該ヒンジ部２にて半裁カバー１ａ，１ｂを屈折させ、該半裁カバー１ａ，１ｂを図１に示したような碍子係留部等の露出充電部に被せ、この露出充電部が該凹窪部３ａ，３ｂに収容されるようにする。
【００１２】
前記凹窪部３ａ，３ｂは左右両側および下方（図２は半裁カバー１ａ，１ｂの展開図であるので、図２の半裁カバー１ａについては上方に示される。以下も同様に半裁カバー１ａの各部については説明の便宜上、上下を反対に表記する。）にも拡張した形態に形成されており、該凹窪部３ａ，３ｂの斜め下方に前記放電端子ｆを外部に導出するための導出口４ａ，４ｂが形成され、該導出口４ａ，４ｂの外端部に屈曲可能となるように多数の切目が形成された封止幕５ａ，５ｂが形成されている。また、該凹窪部３ａ，３ｂの内面下部に前記碍子ｂの外周凹部に対して水平に食い込む碍子止用リブ６ａ，６ｂが形成され、該碍子止用リブ６ａ，６ｂのさらに下方に前記碍子ｂの外周を囲う半筒状部７ａ，７ｂと内向縁８ａ，８ｂが形成されている。
【００１３】
また、碍子係留部等の露出充電部の上方に位置し得るように前記ヒンジ部２の下側内面であって一方の半裁カバー１ａの凹窪部３ａの上部に相当する部位に横長フランジ９を一体に形成する。また、他方の半裁カバー１ｂの凹窪部３ａの上部に横長溝１０を形成し、半裁カバー１ａ，１ｂを合着させた際に該横長フランジ９が該横長溝１０内に嵌合するようにする。このように嵌合させることにより、該横長フランジ９と半裁カバー１ｂ内面との間に隙間が生じることなく雨水の流下が遮断される。なお、横長溝１０の両端部は下向傾斜状に形成され、横長フランジ９の両端部もこれと同様に下向傾斜状に形成されている。
【００１４】
また、前記凹窪部３ａ，３ｂの両側にシール材収容部１１ａ，１１ｂを形成する。該シール材収容部１１ａ，１１ｂは、後述するように、電線ｄの周囲に弾性的に密接させる環状のシール材１２を収容するためのもので、半円形鍔状部１３ａ，１３ｂと半円形鍔状部１４ａ，１４ｂとを適宜間隔を離して設けることにより形成される。なお、半裁カバー１ｂ側の半円形鍔状部１３ｂ，１４ｂは、それぞれ半裁カバー１ａ側の半円形鍔状部１３ａ，１４ａのやや外側に形成され、半裁カバー１ａ，１ｂを合着させた際に該各鍔状部が衝突しないようにしている。また、半円形鍔状部１４ａは前記横長フランジ９の両端部と連なるように形成することにより、該半円形鍔状部１４ａのさらに外側に該横長フランジ９の上面と連なる排水用溝１５ａが形成される。半円形鍔状部１４ｂの外側には前記横長溝１０と連なる排水用溝１５ｂが形成される。この排水用溝１４ａ，１５ｂは電線ｄを迂回し得るように一部が環状に形成される。また、半裁カバー１ａの一方の半円形鍔状部１３ａより下方（図２では上方）に連なり前記凹窪部３ａの両側に位置するように縦長フランジ部１６ａを形成し、半裁カバー１ａ，１ｂを合着させた際に該縦長フランジ部１６ａが前記凹窪部３ｂの両内側縁部に合着する。
【００１５】
また、該排水用溝１５ａ，１５ｂのさらに外側縁に電線ｄが導出される半裁スリーブ状の電線導出部１７ａ，１７ｂを形成している。該電線導出部１７ａ，１７ｂは、内径及び外径が先端に近づくに従い次第に細径となるようにタケノコ状に形成され、電線ｄの太さに応じて先端部をカットすることで該電線ｄの太さに対する汎用性が得られ、径の異なる数種類の電線に使用し得るようにしている。
【００１６】
前記半円形鍔状部１３ａ，１３ｂの下方に重合片１８ａ，１８ｂが形成され、該重合片１８ａ，１８ｂには前記シール材収容部１１ａ，１１ｂおよび前記排水用溝１５ａ，１５ｂと連通する排水用溝１９ａ，１９ｂが形成され、該排水用溝１９ａ，１９ｂは下端が開口していてカバー外部へ連通する。また、重合片１８ａに係合突起２０ａを形成するとともに該重合片１８ｂに係合孔２０ｂを形成している。また、半裁カバー１ａ，１ｂの下端部外周縁に重合片２１ａ，２１ｂを形成し、一方の重合片２１ａに係合突起２２ａを形成するとともに他方の重合片２１ｂに係合孔２２ｂを形成している。前記係合突起２０ａ，２２ａは先端部が少し太径の円錐形に形成されている。一方、係合孔２０ｂ，２２ｂはこの円錐形よりも小径であるが外周部に放射状にスリ割が形成されている。このため、該係合突起２０ａ，２２ａを該係合孔２０ｂ，２２ｂに挿し込むとこのスリ割によって該係合孔２０ｂ，２２ｂの内径が一時的に広がった後に弾性的に復帰することで該係合突起２０ａ，２２ａが該係合孔２０ｂ，２２ｂに係合し、半裁カバー１ａ，１ｂは図５〜図７に示したように閉状態に合着される。なお、一方の半裁カバー１ａの上部両縁に縁リブ２３ａが形成され、両半裁カバー１ａ，１ｂを合着したとき、該縁リブ２３ａが他方の半裁カバー１ｂの上部両縁に合着する。また、図３に示したように半裁カバー１ａ，１ｂの外側面に板状の摘子部２４ａ，２４ｂが突設され、該摘子部２４ａ，２４ｂを特定の工具で挟むことにより、この架空電線用カバーを感電のおそれなく安全に取付できるようにしている。
【００１７】
このように構成した架空電線用カバーでは、前記シール材収容部１１ａ，１１ｂにスポンジ等の弾力性のある半環状のシール材１２を収容するとともに、図１に示した碍子係留部等の露出充電部が凹窪部３ａ，３ｂ内に収容されるように、半裁カバー１ａ，１ｂを合着させ、電線導出部１７ａ，１７ｂから電線ｄを外部に導出させる。また、前記放電端子ｆに絶縁性の合成樹脂製筒体２５を被せ、該合成樹脂製筒体２５の外周にスポンジ等の弾力性のある環状のシール材２６を外嵌し、該シール材２６が前記封止幕５ａ，５ｂの内側となるように前記導出口４ａ，４ｂから該放電端子ｆを外部に導出させる。そして、前記碍子止用リブ６ａ，６ｂを碍子ｂの外周凹部に食い込ませ、係合突起２０ａ，２２ａを係合孔２０ｂ，２２ｂに係合させ、図６に示したように前記シール材１２を電線ｄの外周に水密に当接させる。このように半裁カバー１ａ，１ｂを合着することで、前記横長フランジ９は横長溝１０内に嵌合し、該横長フランジ部９は前記支持金具ｃ、挟着部ｅ、および、裸電線部ｇ等の露出充電部の上方に位置する。
【００１８】
このように横長フランジ部９を設けたことによっては、ヒンジ部２の両端部２ａ，２ｂ等から該カバー内に雨水が浸入してきても、その雨水は該横長フランジ９によって遮断されて該横長フランジ９の両端部に流れることから、支持金具ｃ、挟着部ｅ、裸電線部ｇ等の露出充電部に雨水が流れ込むことはない。そして該横長フランジ９の両端部に流れた雨水は、前記排水用溝１５ａ，１５ｂおよび排水用溝１９ａ，１９ｂを通してカバー外に排出される。また、電線導出部１７ａ，１７ｂの内側から電線ｄを伝って該カバー内に雨水が浸入しても、その雨水は排水用溝１５ａ，１５ｂ、排水用溝１９ａ，１９ｂを通ってカバー外に排出される。そのときたとえ雨水が電線ｄを伝ってさらに奥まで浸入しても、その雨水は前記シール材１２によって遮断されるとともに、シール材収容部１１ａ，１１ｂ内に雨水が浸入してもその雨水は排水用溝１９ａ，１９ｂを通って排出される。このため、該シール材収容部１１ａ，１１ｂに収容したシール材１２の柔軟性・弾力性等が経時的に損なわれたとしても、露出充電部まで雨水が浸入するおそれはない。また、点検等のために一時的にカバーを開いてもシール材１２の柔軟性・弾力性が損なわれることなく防水性が維持されるので、メンテナンスも容易に行なわれ、防水性に対する信頼性も高くなる。
また、このように露出充電部を絶縁性カバーによって包囲したことにより、鳥類が運んできた針金や電柱を登る蛇、或いは電柱に接近する樹木等が露出充電部に接触するのが防止されるので、これらを媒体とし短絡事故を起こすことが確実に防止される。
【００１９】
なお以上の実施形態は碍子係留部について説明したが、本発明は碍子係留部に取り付けるカバーに限らず、図８に示したように架空電線を直線状に接続する接続部、或いは、図９に示したように架空電線を分岐状に接続する分岐接続部に取り付ける架空電線用カバーとしても適用し得る。
即ち、図８に示した実施形態は、電線ｄの裸電線部ｇと電線ｄ′の裸電線部ｇ′とを締金具ｈによって直線状に結着してなり、該接続部に取り付けられるカバーは、前記実施形態と同様に電気絶縁性の合成樹脂により一対の半裁カバーが開閉可能なるようにヒンジ部２を間にして一体に成形され、裸電線部ｇ，ｇ′、締金具ｈ等の露出充電部の上方に位置するように横長フランジ９が設けられ、電線ｄ，ｄ′の外周に密接するシール材１２を収容する収容部が該露出充電部の両側に形成され、該収容部の外側に該横長フランジ９の上面と連なる排水用溝１５が形成され、該排水用溝１５の外側縁に電線導出部１７が形成される。このため、裸電線部ｇ，ｇ′、締金具ｈ等の露出充電部に雨水が滴下するのが防止されるとともに、横長フランジ９上に流入した雨水はシール材１２の外側に位置する排水用溝１５を通って外部に排出され、カバー内に溜まることはなく、電線ｄ，ｄ′を伝ってカバー内に浸入する雨水も排水用溝１５を通って外部に排出される。
【００２０】
また、図９に示した架空電線用カバーは、電線ｄの裸電線部ｇと電線ｄ′の裸電線部ｇ′と電線ｄ′′の裸電線部ｇ′′とが締金具ｈによって結着された電線の分岐接続部に取り付けられるもので、この架空電線用カバーについても、電気絶縁性の合成樹脂により一対の半裁カバーが開閉可能なるようにヒンジ部２を間にして一体に成形され、裸電線部ｇ，ｇ′，ｇ′′、締金具ｈ等の露出充電部の上方に位置するように横長フランジ９が設けられ、電線ｄ，ｄ′，ｄ′′の外周に密接するシール材１２を収容する収容部が該露出充電部の両側に形成され、該収容部の外側に該横長フランジ９の上面と連なる排水用溝１５が形成され、該排水用溝１５の外側縁に電線導出部１７が形成されている。このため、裸電線部ｇ，ｇ′，ｇ′′、締金具ｈ等の露出充電部に雨水が滴下するのが防止されるとともに、横長フランジ９上に流入した雨水はシール材１２の外側に位置する排水用溝１５を通って外部に排出され、また、電線ｄ，ｄ′，ｄ′′を伝ってカバー内に浸入する雨水も排水用溝１５を通って外部に排出される。
【００２１】
さらに、本発明に係る架空電線用カバーは、電線を空中に引き留めるための引留クランプのカバーとしても適用し得る。即ち、図１０に示したように、引留クランプｎは一端が碍子ｍを介して電柱等に牽引され、該引留クランプｎにより一本の電線ｄ，ｄ′の裸電線部ｇ，ｇ′を挟着支持するもので、該引留クランプｎに被せられるカバーは、前記実施形態と同様に電気絶縁性の合成樹脂により一対の半裁カバーが開閉可能なるようにヒンジ部２を間にして一体に成形され、裸電線部ｇ，ｇ′、引留クランプｎ等の露出充電部の上方に位置するように横長フランジ９が設けられ、電線ｄ，ｄ′の外周および前記碍子ｍに密接するシール材１２を収容する収容部が形成され、該収容部の外側に該横長フランジ９の上面と連なる排水用溝１５が形成され、該排水用溝１５の外側縁に電線導出部１７および碍子導出部１７′が形成される。この架空電線用カバーにおいても、横長フランジ９によって裸電線部ｇ，ｇ′、引留クランプｎ等の露出充電部に雨水が滴下するのが防止されるとともに、横長フランジ９上に流入した雨水はシール材１２の外側に位置する排水用溝１５を通って外部に排出されるのでカバー内に溜まることはなく、電線ｄ，ｄ′を伝ってカバー内に浸入する雨水も排水用溝１５を通って外部に排出される。
そして、鳥類が運んでくる針金等により短絡事故が起きるのもこれらの架空電線用カバーによって確実に防止することができる。
【符号の説明】
【００２２】
ｂ                                      碍子
ｃ                                      支持金具（露出充電部）
ｄ，ｄ′，ｄ′′                        電線
ｅ                                      挟着部（露出充電部）
ｇ，ｇ′，ｇ′′                        裸電線部（露出充電部）
ｈ                                      締金具（露出充電部）
１ａ，１ｂ                              半裁カバー
２                                      ヒンジ部
３，３ａ，３ｂ                          凹窪部
９                                      フランジ部
１０                                    横長溝
１１，１１ａ，１１ｂ                    収容部
１２                                    シール材
１５，１５ａ，１５ｂ，１９ａ，１９ｂ    排水用溝
１７，１７ａ，１７ｂ                    電線導出部
【図１】
2018137907.tif 000003
【図２】
2018137907.tif 000004
【図３】
2018137907.tif 000005
【図４】
2018137907.tif 000006
【図５】
2018137907.tif 000007
【図６】
2018137907.tif 000008
【図７】
2018137907.tif 000009
【図８】
2018137907.tif 000010
【図９】
2018137907.tif 000011
【図１０】
2018137907.tif 000012